(57)【要約】【課題】設置領域の縮小化が図れる音響装置を提供する。【解決手段】平面視略正方形の中空箱状のフレーム部３１１に、スピーカ本体およびドライブ３３０を正面に臨んで配設し、音声データ処理装置を内部に配設する。フレーム部３１１の周面をドライブ３３０が進退可能で音声データ処理装置の操作ボタンが外面に臨む状態に枠状体にて覆い、背面を背面部材にて覆い、ケース体３１０を組立形成する。ケース体３１０の正面に間隙を介していわゆるパンチングメタルを用いた保護部材３６０を、スピーカ本体およびドライブ３３０を覆う状態に取り付ける。ケース体３１０およびスピーカ本体の保護に用いる保護部材３６０を、スピーカ本体およびドライブ３３０のケース部材として共用し、小型軽量化を図り、設置領域の縮小化を図る。【選択図】  図１
2004159066.tif 000002
【特許請求の範囲】
【請求項１】
ケース体と、
このケース体に配設されるスピーカ本体と、
前記ケース体に配設され前記スピーカ本体で発音させる音声データを取得する音声データ取得装置と、
前記ケース体に少なくとも前記スピーカ本体および前記音声データ取得装置を覆って取り付けられる保護部材と、
を具備したことを特徴とした音響装置。
【請求項２】
請求項１に記載の音響装置において、
前記保護部材は、前記音声データ取得装置を覆う部分が硬質部材にて形成された
ことを特徴とした音響装置。
【請求項３】
請求項２に記載の音響装置において、
前記保護部材は、前記スピーカ本体を覆う部分が軟質部材にて形成された複合部材である
ことを特徴とした音響装置。
【請求項４】
請求項２または請求項３に記載の音響装置において、
前記保護部材の硬質部材が前記音声データ取得装置を覆う状態に前記保護部材を前記ケース体に取り付ける取付部材を具備した
ことを特徴とした音響装置。
【請求項５】
請求項４に記載の音響装置において、
前記取付部材は、前記保護部材に設けられた複数の係止部材と、前記ケース体に設けられ前記係止部材をそれぞれ係合する複数の係合部材と、を備えた
ことを特徴とした音響装置。
【請求項６】
請求項２または請求項３に記載の音響装置において、
前記保護部材は、前記ケース体への取付向きにかかわらず前記硬質部材が前記音声データ取得装置を覆う状態に複数箇所設けられた
ことを特徴とした音響装置。
【請求項７】
請求項１または請求項２に記載の音響装置において、
前記保護部材は、前記スピーカ本体による発音を透過可能に複数の孔を有した板状の硬質部材である
ことを特徴とした音響装置。
【請求項８】
請求項１ないし請求項７のいずれかに記載の音響装置において、
前記保護部材は、外部からの応力により変形した際に少なくとも前記音声データ取得装置に接触しない距離を介して前記ケース体に取り付けられた
ことを特徴とした音響装置。
【請求項９】
請求項１ないし請求項８のいずれかに記載の音響装置において、
前記ケース体に配設され、前記音声データ取得装置にて取得した音声データを前記スピーカ本体で発音可能に処理する処理装置を具備した
ことを特徴とした音響装置。
【請求項１０】
請求項９に記載の音響装置において、
前記保護部材は、処理装置をも覆う状態に前記ケース体に取り付けられた
ことを特徴とした音響装置。
【請求項１１】
請求項１ないし請求項１０のいずれかに記載の音響装置において、
前記ケース体は、前記保護部材とにて前記音声データ取得装置の全周を覆う
ことを特徴とした音響装置。
【請求項１２】
スピーカ本体、および、このスピーカ本体で発音させる音声データを取得する音声データ取得装置をケース体に配設し、
前記スピーカ本体および前記音声データ取得装置が配設されたケース体に、少なくとも前記スピーカ本体および前記音声データ取得装置を覆って保護部材を取り付ける
ことを特徴とする音響装置の製造方法。
【請求項１３】
スピーカ本体およびこのスピーカ本体で発音させる音声データを取得する音声データ取得装置を備えたケース体に取り付けられる保護部材であって、
前記ケース体に少なくとも前記スピーカ本体および前記音声データ取得装置を覆って取り付けられる
ことを特徴とした保護部材。
【請求項１４】
請求項１３に記載の保護部材であって、
前記音声データ取付装置を覆う部分が硬質部材にて形成された
ことを特徴とした保護部材。
【請求項１５】
請求項１４に記載の保護部材であって、
前記スピーカ本体を覆う部分が軟質部材にて形成された複合部材である
ことを特徴とした保護部材。
【請求項１６】
請求項１４または請求項１５に記載の保護部材であって、前記硬質部材にて形成された部分が、前記音声データ取得装置を覆う状態で前記ケース体に取り付けるための取付部材を備えた
ことを特徴とした保護部材。
【請求項１７】
請求項１４または請求項１５に記載の保護部材であって、前記硬質部材にて形成された部分が、前記ケース体へのいずれの取付向きで取り付けられた状態で前記音声データ取付装置を覆う状態に複数箇所設けられた
ことを特徴とした保護部材。
【請求項１８】
請求項１３または請求項１４に記載の保護部材であって、前記スピーカ本体による発音を透過可能に複数の孔を有した板状の硬質部材にて形成された
ことを特徴とした保護部材。
【請求項１９】
請求項１３ないし請求項１８のいずれかに記載の保護部材であって、
外部からの応力により変形した際に少なくてとも前記音声データ取付装置に接触しない距離を介して前記ケース体に取り付けるための取付部材を備えた
ことを特徴とした保護部材。
【発明の詳細な説明】
【０００１】
【発明の属する技術分野】
本発明は、音声データ取得装置にて取得した音声データをスピーカ本体にて発音させる音響装置、その製造方法、および、保護部材に関する。
【０００２】
【従来技術】
従来、例えば一例として挙げられる実開平７−１４７９４号公報に記載のように、スピーカの発音する側の前面をパンチングメタルなどのスピーカネットで保護する構成が知られている。この実開平７−１４７９４号公報に記載の構成は、車両などのドアトリムの内室側に一体的に取り付けられる樹脂成形体に、ドアトリムに配設したスピーカの前面に対向する位置にスピーカネットを取り付けている。
【０００３】
また、車両などのドアには、アームレストが設けられるとともに、このアームレストにルームランプや窓の開閉あるいはルームランプの点灯・消灯を切り替えるためのスイッチなどの各種電気部品が配設されている。そこで、例えば一例として挙げられる実開平７−３３０８９号公報に記載のように、各種電気部品およびスピーカを一体的にアームレストの延長部に組み込んで一体化し、設置スペースの省略化を図るスピーカ装置も知られている。
【０００４】
一方、例えば一例として挙げられる実開平６−９２９２号公報に記載のように、スピーカネットが複数の部材にて構成されたものが知られている。この実開平６−９２９２号公報に記載のものは、スピーカネットの一部にオーナメントや第２のスピーカネットなどを付設して、スピーカの前面を保護する装飾性の高いスピーカグリルを形成している。
【０００５】
【特許文献１】
実開平７−１４７９４号公報（第５頁−第６頁）
【特許文献２】
実開平７−３３０８９号公報（第７頁−第８頁）
【特許文献３】
実開平６−９２９２号公報（第７頁−第１１頁）
【０００６】
【発明が解決しようとする課題】
ところで、スピーカにアナログ化した音声データを出力することにより、スピーカが音声データを発音する。すなわち、スピーカを発音させるためには、音声データを取得する必要がある。この音声データは、例えばＣＤ−ＲＯＭ（Ｃｏｍｐａｃｔ  Ｄｉｓｋ−Ｒｅａｄ  Ｏｎｌｙ  Ｍｅｍｏｒｙ）やＤＶＤ−ＲＯＭ（Ｄｉｇｉｔａｌ  Ｖｅｒｓａｔｉｌｅ  Ｄｉｓｃ  −  ＲｅａｄＯｎｌｙ  Ｍｅｍｏｒｙ）、ハードディスクなどに記録された音声データ、あるいはラジオ番組やテレビ番組などの受信した電波を変換した音声データなどで、記録媒体から音声データを読み取るドライバや受信装置などにより取得される。取得した音声データを適宜処理してスピーカに出力される。したがって、一般的に、スピーカには、音声データを取得する装置や取得した音声データを処理する装置が、有線あるいは無線により接続される。
【０００７】
また、スピーカは、比較的に大径とすることで低音が良好に発音される。このことから、スピーカ装置は、比較的に大型化する傾向となる。このため、発音される音声データを鑑賞する場合、スピーカ装置の他に、音声データを取得する装置や音声データを処理する装置を設置する領域が必要となる。このことから、より設置する領域の縮小化が望まれる点が一例として挙げられる。
【０００８】
本発明は、上述したような実情などに鑑みて、設置領域の縮小化が図れる音響装置、その製造方法、および、保護部材を提供することを目的とする。
【０００９】
【課題を解決するための手段】
請求項１に記載の発明は、ケース体と、このケース体に配設されるスピーカ本体と、前記ケース体に配設され前記スピーカ本体で発音させる音声データを取得する音声データ取得装置と、前記ケース体に少なくとも前記スピーカ本体および前記音声データ取得装置を覆って取り付けられる保護部材と、を具備したことを特徴とした音響装置である。
【００１０】
請求項１２に記載の発明は、スピーカ本体、および、このスピーカ本体で発音させる音声データを取得する音声データ取得装置をケース体に配設し、前記スピーカ本体および前記音声データ取得装置が配設されたケース体に、少なくとも前記スピーカ本体および前記音声データ取得装置を覆って保護部材を取り付けることを特徴とする音響装置の製造方法である。
【００１１】
請求項１３に記載の発明は、スピーカ本体およびこのスピーカ本体で発音させる音声データを取得する音声データ取得装置を備えたケース体に取り付けられる保護部材であって、前記ケース体に少なくとも前記スピーカ本体および前記音声データ取得装置を覆って取り付けられることを特徴とした保護部材である。
【００１２】
【発明の実施の形態】
以下に、本発明の音響装置の一実施の形態を図面に基づいて説明する。図１は、音響装置を示す正面図である。図２は、音響装置を示す保護部材を省略した正面図である。図３は、音響装置を示す平面図である。図４は、音響装置を示す側面図である。図５は、音響装置を示す取付部材近傍の断面図である。
【００１３】
〔音響装置の構成〕
図１ないし図５において、１００は音響装置で、この音響装置１００は、音声データを発音により出力する装置である。そして、音響装置１００は、スタンド２００と、このスタンド２００に着脱可能に取り付けられる音響装置本体３００と、を備えている。
【００１４】
スタンド２００は、載置面上に載置される台座部２１０を有している。この台座部２１０には、長手棒状の支柱部２２０が設けられている。この支柱部２２０は、長手方向の一端が台座部２１０の略中央に一体的に連結され、長手方向が上下方向に略沿う状態に設けられている。支柱部２２０には、長手状の取付腕部２３０が設けられている。この取付腕部２３０は、長手方向の略中央が支柱部２２０の上端に一体的に連結され、長手方向の両端部が略垂直に同方向に延出する略コ字状に形成されている。そして、この取付腕部２３０の長手方向の両端部に音響装置本体３００が着脱可能に取り付け、スタンド２００は音響装置本体３００を載置面上に支持する。
【００１５】
なお、スタンド２００は、支柱部２２０の長手方向の寸法が可変可能、すなわち音響装置本体３００の載置面からの高さを調整可能な構成としてもよい。また、スタンド２００は、取付腕部２３０における音響装置本体３００との取付部分や支柱部２２０との連結部分の構造を自在継ぎ手構造、すなわち音響装置本体３００の向きを可変可能な構成としてもよい。そして、スタンド２００を用いず、スタンド２００から音響装置本体３００を取り外して、例えば壁掛け、あるいは、天井などから吊り下げ支持するようにしてもよい。
【００１６】
音響装置本体３００は、ケース体３１０と、スピーカ本体３２０と、音声データ取得装置としてのドライブ３３０と、音声データ処理装置３４０と、表示装置３５０と、保護部材３６０と、を備えている。また、ケース体３１０は、例えば平面視である正面視で略正方形状の中空箱状のフレーム部３１１と、化粧部材３１２と、を備えている。
【００１７】
ケース体３１０のフレーム部３１１は、例えばステンレス鋼板などの耐腐食処理が施された薄板材料にて中空箱状に形成されている。そして、フレーム部３１１には、スピーカ本体３２０が正面に臨む状態で配設されている。また、フレーム部３１１には、ドライブ３３０が正面に臨みかつ一縁に位置して配設されている。さらに、フレーム部３１１の略中央には、表示装置３５０が配設されている。そしてさらに、フレーム部３１１内には、一部が一周面に臨む状態に音声データ処理装置３４０が配設されている。
【００１８】
また、フレーム部３１１には、図２に示すように、正面の略４隅近傍にそれぞれ位置して係合部材としての係合孔３１３が設けられている。そして、フレーム部３１１の背面には、スタンド２００の取付腕部２３０が取り付けられる図示しない取付凹部が設けられている。
【００１９】
化粧部材３１２は、フレーム部３１１の周面を覆う枠状体３１２ａを有している。この枠状体３１２ａは、例えば合成樹脂にて略Ｌ字状に形成された４つの角部材３１２ａ１にて構成されている。これら角部材３１２ａ１はフレーム部３１１の角部を覆う状態に例えばねじ止めされ、これら角部材３１２ａ１にて平面視で略正方形状の四角枠状の枠状体３１２ａを構成する。また、枠状体３１２ａには、図３に示すように、フレーム部３１１に配設されたドライブ３３０に対応する位置に切欠凹部３１２ａ２が設けられている。さらに、枠状体３１２ａには、フレーム部３１１に配設された音声データ処理装置３４０の一部を挿通する挿通孔３１２ａ３が設けられている。
【００２０】
また、化粧部材３１２は、図３および図４に示すように、フレーム部３１１の裏面、すなわちスタンド２００の取付腕部２３０が取り付けられる裏面を覆う背面部材３１２ｂを有している。この背面部材３１２ｂは、例えば合成樹脂にてフレーム部３１１の背面形状に対応した平面視で略正方形状の板状に形成され、例えばねじ止めにてフレーム部３１１に一体的に取り付けられる。そして、背面部材３１２ｂには、フレーム部３１１の取付凹部に対応する位置にスタンド２００の取付腕部２３０が嵌挿する図示しない嵌挿孔が設けられている。
【００２１】
なお、化粧部材３１２は、ねじ止めに限らず、例えば接着による取付、化粧部材３１２に設けた図示しない係止部材をフレーム部３１１に設けた図示しない係合部材に係合させて取り付けるなど、いずれの構成にて取り付けることができる。
【００２２】
ドライブ３３０は、図１ないし図３に示すように、例えばＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｃ）などの光ディスクや磁気ディスクあるいは光磁気ディスクなどの記録媒体３３１に記録された音声データを読み取る。このドライブ３３０は、記録媒体３３１に記録された情報を読み取る図示しないピックアップと、記録媒体３３１が着脱可能に装着されるトレイ３３２と、トレイ３３２を移動させる図示しない移動手段と、を有している。そして、ドライブ３３０は、トレイ３３２を移動手段により化粧部材３１２の枠状体３１２ａの切欠凹部３１２ａ２を介して進退可能、すなわちケース体３１０の一周面から進出および後退可能に移動させ、進出時に記録媒体３３１を着脱可能に装着する。なお、トレイ３３２の移動方向の端面は、ケース体３１０に後退した状態で枠状体３１２ａの切欠凹部３１２ａ２を閉塞する状態に形成されている。
【００２３】
音声データ処理装置３４０は、図２および図３に示すように、ドライブ３３０の動作制御、ドライブ３３０にて読み取った音声データの処理、スピーカ本体３２０の動作制御すなわち音量調整など、音響装置本体３００全体の動作を制御する。そして、音声データ処理装置３４０には、各種動作制御の実行を設定するための図示しない操作手段を有している。この操作手段は、複数の操作ボタン３４１を有している。これら複数の操作ボタン３４１は、フレーム部３１１の枠状体３１２ａの挿通孔３１２ａ３に嵌挿してケース体３１０から外面に臨んで配設されている。そして、操作手段は、操作ボタン３４１の入力操作により、所定の信号を出力して各種動作制御を設定入力する。
【００２４】
表示装置３５０は、図１および図２に示すように、音声データ処理装置３４０に接続され、音声データ処理装置３４０からの信号に基づいて、音響装置本体３００の動作状況を表示する。この表示装置３５０としては、例えば液晶や有機ＥＬ（ｅｌｅｃｔｏｒｏｌｕｍｉｎｅｓｃｅｎｃｅ）パネル、ＰＤＰ（Ｐｌａｓｍａ  Ｄｉｓｐｌａｙ  Ｐａｎｅｌ）、ＣＲＴ（Ｃａｔｈｏｄｅ−Ｒａｙ  Ｔｕｂｅ）などが用いられる。
【００２５】
保護部材３６０は、図１および図３ないし図５に示すように、ケース体３１０の正面を覆う状態にケース体３１０に一体的に取り付けられ、音響装置本体３００の前面を保護する。この保護部材３６０は、例えば金属板にスピーカ本体３２０による発音を透過可能に複数の孔３６１が設けられた平面視で略正方形の板状に形成された硬質部材、いわゆるパンチングメタルである。また、保護部材３６０の略中央には、表示装置３５０に対向する位置に略円形の窓部３６２が開口形成され、表示装置３５０が視認可能となっている。さらに、保護部材３６０の４隅近傍には、ケース体３１０のフレーム部３１１の係合孔３１３に係脱可能に係合される係止部材として係止ピン３６３が突設されている。この係止ピン３６３が係合孔３１３とにて取付部材３７０を構成する。
【００２６】
係止ピン３６３は、図５に示すように、先端近傍が径大に膨出する膨出部３６３ａを有している。また、係止ピン３６３は、先端に切り込み３６３ｂが設けられ、外周方向からの応力により膨出部３６３ａの径寸法が縮径する状態に弾性変形可能に形成されている。さらに、係止ピン３６３の先端近傍には、膨出部３６３ａの基端部分に、係合孔３１３の径寸法に対応する周方向に溝状の径小部３６３ｃが設けられている。そして、保護部材３６０は、係止ピン３６３の弾性変形により係合孔３１３に嵌挿し、膨出部３６３ａが係合孔３１３の開口縁に係合されて径小部３６３ｃが係合孔３１３に嵌合する状態に係止され、ケース体３１０に取り付けられる。
【００２７】
この保護部材３６０のケース体３１０への取付により、少なくともケース体３１０の正面に臨むスピーカ本体３２０およびドライブ３３０の前面が覆われる。なお、保護部材３６０は、ケース体３１０の正面に対して所定の間隙を介して対向する状態に取り付けられる。この間隙は、例えば保護部材３６０にケース体３１０へ向けた応力が作用、例えば利用者が誤って保護部材３６０を押して保護部材３６０が変形しても、スピーカ本体３２０やドライブ３３０に保護部材３６０が接触しない距離である。
【００２８】
〔音響装置の組立動作〕
次に、上記音響装置の組立動作を説明する。
【００２９】
まず、あらかじめ形成されたフレーム部３１１に、スピーカ本体３２０、ドライブ３３０、音響データ処理装置３４０、および、表示装置３５０を配設する。この後、フレーム部３１１の周面に、例えば４つの角部材３１２ａ１をねじ止めしてフレーム部３１１の角部を覆う状態に取り付け、四角枠状の枠状体３１２ａを組み付ける。さらに、フレーム部３１１の背面に、背面部材３１２ｂを例えばねじ止めにて取り付ける。
【００３０】
そして、フレーム部３１１に枠状体３１２ａおよび背面部材３１２ｂを取り付けてケース体３１０を組立形成した後、保護部材３６０をケース体３１０に取り付けて音響装置本体３００を組立形成する。この組み立てられた音響装置本体３００は、保護部材３６０にてドライブ３３０およびスピーカ本体３２０が保護された状態となっており、剥き出しの状態でフレーム部３１１に配設されたドライブ３３０およびスピーカ本体３２０が、外部からの接触により損傷することが防止される。そして、この組立形成した音響装置本体３００をあらかじめ組立形成したスタンド２００の取付腕部２３０に係止させ、音響装置１００を組立形成する。
【００３１】
なお、ケース体３１０を組立形成した後にスタンド２００にケース体３１０を取り付け、最後に保護部材３６０を取り付けてもよい。
【００３２】
〔音響装置の動作〕
次に、上記音響装置の動作、すなわち音声データの再生処理について説明する。
【００３３】
まず、電力を供給して音響装置本体３００を起動させる。そして、音声データ処理装置３４０の操作ボタン３４１を操作し、ドライブ３３０の移動手段を駆動させ、トレイ３３２をケース体３１０から進出する状態に移動させる。この後、トレイ３３２に記録媒体３３１を装着し、再び操作ボタン３４１を入力操作し、トレイ３３２をケース体３１０内に後退移動させる。
【００３４】
そして、利用者が操作ボタン３４１の音声データを再生処理の実行を指示する旨の入力操作を実行することにより、ドライブ３３０が記録媒体３３１から音声データを読み取る。この読み取った音声データは、音声データ処理装置３４０に出力されて適宜処理され、スピーカ本体３２０に出力され、音として出力、すなわち再生される。また、表示装置３５０では、記録媒体３３１の音声データが処理されている旨、例えば音声データのタイトル名や演奏者などの情報や音声データの処理時間などが表示される。
【００３５】
なお、トレイ３３２に記録媒体３３１を装着した後に再生処理の実行を指示する旨の入力操作により、自動的にトレイ３３２を後退移動させてから再生処理するなどしてもよい。
【００３６】
〔音響装置の作用効果〕
上述したように、上記実施の形態では、ケース体３１０と、このケース体３１０に配設されたスピーカ本体３２０と、ケース体３１０に配設されスピーカ本体３２０で発音させる音声データを取得するドライブ３３０と、少なくともスピーカ本体３２０およびドライブ３３０を覆ってケース体３１０に取り付けられる保護部材３６０とにて音響装置本体３００を構成する。このため、ドライブ３３０をケース部材内に配設する必要がなく、スピーカ本体３２０を保護するための保護部材３６０を利用してドライブ３３０も保護するので、ケース体３１０および保護部材３６０がスピーカ本体３２０およびドライブ３３０のケース部材として共用され、音響装置本体３００の小型軽量化を図ることができ、小型軽量の音響装置本体３００の製造が容易にできる。したがって、音響装置１００の設置領域の縮小化、製造性の向上、コストの低減などが容易に図れる。
【００３７】
そして、保護部材３６０は、硬質部材であるいわゆるパンチングメタルにて構成したため、確実にスピーカ本体３２０およびドライブ３３０を保護できる。
【００３８】
また、保護部材３６０をパンチングメタルを用いて構成したため、製造が容易で、さらに硬質部材でもスピーカ本体３２０の発音を遮断することがなく、確実にスピーカ本体３２０およびドライブ３３０を保護する構成が簡単な構成で容易に得られる。
【００３９】
さらに、保護部材３６０をパンチングメタルを用いて形成し、表示装置３５０に対応する位置に窓部３６２を設けたため、スピーカ本体３２０やドライブ３３０を保護する硬質部材にて保護部材３６０を形成しても、簡単な構造で容易に表示内容を確認できる。
【００４０】
そして、保護部材３６０に、ケース体３１０の係合孔３１３に係脱可能に係合される係止ピン３６３を設けている。このため、簡単な構造で容易に保護部材３６０をケース体３１０に取り付けできる。
【００４１】
さらに、保護部材３６０を外部からの応力により変形した際に少なくともドライブ３３０やスピーカ本体３２０に接触しない距離を介してケース体３１０に取り付ける。このため、確実にドライブ３３０やスピーカ本体３２０を保護できる。
【００４２】
また、ケース体３１０に音声データ処理装置３４０を配設したため、音響装置本体３００のみで音声データの再生処理が可能となり、別途音響装置１００に接続する機器がなく、設置スペースの縮小化を容易に図ることができる。
【００４３】
さらに、保護部材３６０をケース体３１０の正面を覆う、すなわち少なくともスピーカ本体３２０、ドライブ３３０および音声データ処理装置３４０を覆う状態にケース体３１０に取り付ける。このため、音声データ処理装置３４０をもドライブ３３０と同様にケース部材内に配設する必要が無く、１つのケース体３１０が共用され、より小型軽量化が図れる。さらに、保護部材３６０がケース体３１０の正面に対応する形状であることから、外観における美観も向上できる。
【００４４】
〔実施の形態の変形〕
なお、本発明は、上述した各実施の形態に限定されるものではなく、本発明の目的を達成できる範囲で以下に示される変形をも含むものである。
【００４５】
すなわち、スピーカ本体３２０で発音させる音声データを取得する構成としてドライブ３３０を用いて説明したが、音声データを取得する音声データ取得装置としては、例えばラジオ番組やテレビ番組の電波を受信する受信装置などでもできる。また、記録媒体３３１としては、ＣＤやＤＶＤなどの他、ＭＤ（Ｍｉｎｉ  Ｄｉｓｃ）やＭＯ（Ｍａｇｎｅｔｏ−Ｏｐｔｉｃａｌ  ｄｉｓｋ）などでもよく、さらにはこれらディスク構造のものに限らず、カセットテープ、メモリーカード（Ｍｅｍｏｒｙ  Ｃａｒｄ：ＭＣ）など、音声データを記録可能ないずれの構成でもよく、これら記録媒体３３１から音声データを取得するいずれの音声データ取得装置が利用できる。
【００４６】
そして、音声データ処理装置３４０を一体に設けた構成について説明したが、音声データ処理装置３４０は、別体のものとして音響装置を構成してもよい。
【００４７】
また、音声データ処理装置３４０で処理した音声データをスピーカ本体３２０に出力して発音させて再生処理したが、例えば図６に示すように、フレーム部３１１にスピーカ本体３２０を複数設けたスピーカシステム４００のフレーム部４０１にドライブ３３０を配設した構成としてもよい。具体的には、スピーカシステム４００として、複数、例えば２５６個のスピーカ本体３２０をフレーム部４０１に配設し、部屋の構造や再生される音声データを聞く位置などの利用条件をあらかじめ設定入力しておくことにより、２５６個のスピーカ本体３２０のそれぞれを利用条件に基づいて適宜制御し、設定した聞く位置で最も良好に音声データを聞くことができるようにする構成のものである。このスピーカシステム４００にドライブ３３０などの音声データ取得装置を組み込むことにより、上述した実施の形態と同様の作用効果を奏する。
【００４８】
なお、この図６に示す実施の形態では、表示装置３５０を設けない構成としたが、例えば音声データ処理装置３４０のドライブ３３０に対して反対側などに配設するなどしてもよい。
【００４９】
そして、ケース体３１０は、化粧部材３１２およびフレーム部３１１にて構成されるものに限らず、スピーカ本体３２０および音声データ取得装置が配設可能ないずれのものでもできる。例えば化粧部材３１２がないもの、化粧部材３１２がフレーム部３１１を構成するものなどでもでき、いずれの材質のものでもできる。さらに、形状も平面視で正方形に限らず、平面視で三角形や五角形、円形や楕円形の他、星形やキャラクタがかたどられた形状、さらには球状、多面体形状などいずれの形状とすることができる。
【００５０】
また、保護部材３６０としては、いわゆるパンチングメタルを利用して説明したが、パンチングメタルに限らず、比較的に硬質の合成樹脂板や木板などの硬質部材に音声データが通過可能に複数の孔を設けたものとしてもよい。
【００５１】
さらに、保護部材３６０は、全面が硬質部材である必要がなく、少なくとも音声データ取得装置に対向して音声データ取得装置を覆う部分が硬質部材にて形成されていればよい。
【００５２】
具体的には、図７に示すように、音声データ取得装置としてのドライブ３３０に対応する位置を鋼板や合成樹脂板などの硬質部材５０１とし、この硬質部材５０１から鋼線や鋼板などを用いて硬質部材を囲む状態でケース体３１０の形状に対応して四角枠状の支持枠５０２を連接し、骨組み部材５１０を形成する。そして、この骨組み部材５１０の支持枠５０２に発音される音声データが遮断されない織布や不織布などの軟質部材５２０を張設して保護部材３６０を構成するなどとしてもよい。
【００５３】
また、図８に示すように、合成樹脂などにより、音声データ取得装置に対応する部分を変形しにくく硬質となる硬質部材としての肉厚６０１とし、他の部分を発音される音声データが遮断されないように軟質部材としての肉薄６０２で一連に形成して保護部材３６０を構成してもできる。さらには、音声データ取得装置に対応する部分を硬質の合成樹脂を用い他の部分は軟質の合成樹脂を用いて一連に形成するなど、複数の材質を利用して一体的に複合形成して構成するなどしてもよい。
【００５４】
なお、図７に示す実施の形態や図８に示す実施の形態などのように、保護部材３６０が部分的に硬質部材５０１，６０１となる構成の場合では、硬質部材５０１，６０１の部分が音声データ取得装置に対向して覆う状態となるように取り付ける。具体的には、図７ないし図９に示すように、保護部材３６０をケース体３１０に取り付けるための係合孔３１３および係止ピン３６３の位置関係が、硬質部材５０１，６０１の部分が音声データ取得装置を覆う状態の向き、すなわち姿勢でなければ係合孔３１３と係止ピン３６３とが係合しない位置関係とするとよい。
【００５５】
さらに、その他の具体例としては、保護部材３６０をいずれの姿勢でも取り付けできるように係合孔３１３および係止ピン３６３を４隅近傍に設ける取付部材３７０の構成とし、保護部材３６０に設けられる硬質部材５０１，６０１の部分がいずれの姿勢でも音声データ取得装置を覆うように複数箇所、上述した実施の形態では図１０に示すように４カ所、ケース体が平面視で長方形状の場合には取付姿勢が２通りとなるので図１１に示すように２カ所設ければよい。さらには、硬質部材５０１，６０１を円周上、すなわちリング形状に設けてもよい。この構成では、１箇所の硬質部材５０１，６０１でも取付姿勢に関わらず音声データ取得装置を覆う状態が得られる。
【００５６】
また、保護部材３６０の全面を織布や不織布などの布部材を用いて硬質部材を用いない構成としてもよい。なお、この場合には、例えば図１２に示すように、外部からの応力により変形しても音声データ取得装置に接触しない十分な距離を介してケース体３１０に取り付ける。このことにより、上記実施の形態と同様の作用効果が得られるとともに、保護部材３６０を容易に形成でき、製造性の向上やコストの低減を容易に図ることもできる。
【００５７】
そして、保護部材３６０のケース体３１０への取付は、フレーム部３１１に設けた係合孔３１３と保護部材３６０に設けた係止ピン３６３の係脱する構成に限らない。例えば、係合孔３１３と係止ピン３６３とを逆に設けたり、双方に係合孔３１３と係止ピン３６３とを設けたり、さらには係脱可能ではなく取付固定とするなどしてもよい。また、これら係合孔３１３や係止ピン３６３を用いず、ねじ止めや接着などにより取り付ける構成とするなど、いずれの構成を利用して取り付けることができる。
【００５８】
また、上述したように、音響装置１００としてスタンド２００を有しない構成としてもよい。
【００５９】
その他、本発明の実施の際の具体的な構造および手順は、本発明の目的を達成できる範囲で他の構造などに適宜変更できる。
【００６０】
〔実施の形態の作用効果〕
上述したように、ケース体３１０と、このケース体３１０に配設されたスピーカ本体３２０と、ケース体３１０に配設されスピーカ本体３２０で発音させる音声データを取得するドライブ３３０と、少なくともスピーカ本体３２０およびドライブ３３０を覆ってケース体３１０に取り付けられる保護部材３６０とにて音響装置本体３００を構成する。このため、ドライブ３３０をケース部材内に配設する必要がなく、スピーカ本体３２０を保護するための保護部材３６０を利用してドライブ３３０も保護するので、ケース体３１０および保護部材３６０がスピーカ本体３２０およびドライブ３３０のケース部材として共用され、音響装置本体３００の小型軽量化を図ることができ、小型軽量の音響装置本体３００の製造が容易にできる。したがって、音響装置１００の設置領域の縮小化、製造性の向上、コストの低減などが容易に図れる。
【００６１】
また、スピーカ本体３２０およびこのスピーカ本体３２０で発音させる音声データを取得するドライブ３３０を備えたケース体３１０に取り付けられる保護部材３６０であって、ケース体３６０に少なくともスピーカ本体３２０およびドライブ３３０を覆って取り付けられる保護部材３６０を用いる。このため、ドライブ３３０をケース部材内に配設する必要がなく、スピーカ本体３２０を保護するための保護部材３６０を利用してドライブ３３０も保護するので、ケース体３１０および保護部材３６０がスピーカ本体３２０およびドライブ３３０のケース部材として共用されることとなり、音響装置本体３００の小型軽量化を図ることができ、小型軽量の音響装置本体３００の製造が容易に図れる。したがって、音響装置１００の設置領域の縮小化、製造性の向上、コストの低減などが容易に図れる。
【図面の簡単な説明】
【図１】本発明の一実施の形態における音響装置を示す正面図である。
【図２】前記一実施の形態における音響装置を示す保護部材を省略した正面図である。
【図３】前記一実施の形態における音響装置を示す平面図である。
【図４】前記一実施の形態における音響装置を示す側面図である。
【図５】前記一実施の形態における音響装置を示す取付部材近傍の断面図である。
【図６】本発明の他の実施の形態における音響装置を示す保護部材を省略した正面図である。
【図７】本発明のさらに他の実施の形態における音響装置を示す正面図である。
【図８】本発明のさらに他の実施の形態における音響装置を示す正面図である。
【図９】本発明のさらに他の実施の形態における音響装置本体を示す分解斜視図である。
【図１０】本発明のさらに他の実施の形態における音響装置本体を示す正面図である。
【図１１】本発明のさらに他の実施の形態における音響装置本体を示す正面図である。
【図１２】本発明のさらに他の実施の形態における音響装置を示す平面図である。
【符号の説明】
１００      音響装置
３００      音響装置である音響装置本体
３１０      ケース体
３１３      係合部材としての係合孔
３２０      スピーカ本体
３３０      音声データ取得装置としてのドライバ
３４０      音声データ処理装置
３６０      保護部材
３６３      係止部材としての係止ピン
３７０      取付部材
５０１，６０１      硬質部材
【図１】
2004159066.tif 000003
【図２】
2004159066.tif 000004
【図３】
2004159066.tif 000005
【図４】
2004159066.tif 000006
【図５】
2004159066.tif 000007
【図６】
2004159066.tif 000008
【図７】
2004159066.tif 000009
【図８】
2004159066.tif 000010
【図９】
2004159066.tif 000011
【図１０】
2004159066.tif 000012
【図１１】
2004159066.tif 000013
【図１２】
2004159066.tif 000014